(57)【要約】【課題】  ユーザが簡易な操作で家計簿管理を行えるようにする。また、人間的で細やかな配慮がなされたコンサルティング結果をユーザに提供できるようにする。【解決手段】  ユーザ端末１０は、電子決済情報を赤外線通信によって小売店端末２０に送信する。小売店端末２０は、電子決済情報にもとづいて電子決済が完了したことを条件として、購入商品の購入情報を生成し、赤外線通信によってユーザ端末１０に送信する。また、ユーザ端末１０は、受信した購入情報を、インターネット１００を介して家計簿管理サーバ３０に送信する。家計簿管理サーバ３０は、各ユーザ端末１０から受信した購入情報を購入情報データベース３１に蓄積する。そして、所定の蓄積期間が経過すると、家計簿管理サーバ３０は、コンサルティングを依頼する旨の依頼情報を、インターネット１００を介してコンサルタント端末４０に送信する。【選択図】  図１
2006209252.tif 000002
【特許請求の範囲】
【請求項１】
ユーザの商品購入の内容を示す購入情報にもとづいて家計簿を管理する家計簿管理システムであって、
店舗端末と、
家計簿を管理する家計簿管理サーバとを備え、
前記店舗端末は、購入する商品を電子決済するための情報である電子決済情報にもとづいて電子決済が完了したことを条件として、前記購入情報を生成する購入情報生成手段を含み、
前記家計簿管理サーバは、
前記店舗端末が生成した購入情報を、ユーザに対応付けて蓄積する購入情報蓄積手段と、
前記購入情報蓄積手段が蓄積する購入情報にもとづいて家計簿を管理する家計簿管理手段とを含む
ことを特徴とする家計簿管理システム。
【請求項２】
ユーザ端末を備え、
店舗端末は、購入情報生成手段が生成した購入情報を前記ユーザ端末に送信する購入情報送信手段を含み、
前記ユーザ端末は、前記店舗端末から受信した購入情報を、通信ネットワークを介して前記家計簿管理サーバに送信する購入情報転送手段を含み、
購入情報蓄積手段は、前記ユーザ端末から受信した購入情報を、ユーザに対応付けて蓄積する
請求項１記載の家計簿管理システム。
【請求項３】
ユーザ端末は、電子決済情報を店舗端末に送信する決済情報送信手段を含み、
購入情報生成手段は、前記ユーザ端末から受信した電子決済情報にもとづいて電子決済が完了したことを条件として、購入情報を生成する
請求項２記載の家計簿管理システム。
【請求項４】
決済情報送信手段は、電子決済情報として、購入する商品を電子マネーを用いて支払う旨の情報又は所定の認証情報を送信する請求項３記載の家計簿管理システム。
【請求項５】
家計簿管理手段は、購入情報蓄積手段が蓄積する購入情報にもとづいて、家計簿データをユーザ毎に生成し、
家計簿管理サーバは、ユーザ端末からの要求に応じて、前記家計簿管理手段が生成した家計簿データを、通信ネットワークを介して前記ユーザ端末に送信する情報配信手段を含む
請求項２から請求項４のうちのいずれか１項に記載の家計簿管理システム。
【請求項６】
購入情報生成手段は、ユーザが商品を購入した店舗名、購入した商品名、商品の品目、商品の価格又は購入した日時を含む購入情報を生成する請求項５記載の家計簿管理システム。
【請求項７】
コンサルタントが使用するコンサルタント端末を備え、
家計簿管理サーバは、
購入情報の所定の蓄積期間が経過したか否かを判断する蓄積期間判断手段と、
前記蓄積期間判断手段が前記所定の蓄積期間が経過したと判断すると、コンサルティングを依頼するための依頼情報を、通信ネットワークを介して前記コンサルタント端末に送信する依頼情報送信手段とを含む
請求項６記載の家計簿管理システム。
【請求項８】
家計簿管理サーバは、
コンサルタント端末からの要求に応じて、購入情報蓄積手段が蓄積する購入情報を抽出する購入情報抽出手段と、
前記購入情報抽出手段が抽出した購入情報を、通信ネットワークを介して前記コンサルタント端末に送信する情報送信手段とを含む
請求項７記載の家計簿管理システム。
【請求項９】
家計簿管理サーバは、コンサルタント端末からの要求に応じて、購入情報蓄積手段が蓄積する購入情報にもとづいて、家計簿のコンサルティングのための所定の補足情報を生成する補足情報生成手段を含み、
情報送信手段は、前記補足情報生成手段が生成した補足情報を、通信ネットワークを介して前記コンサルタント端末に送信する
請求項８記載の家計簿管理システム。
【請求項１０】
補足情報生成手段は、購入情報蓄積手段が蓄積する購入情報にもとづいて、ユーザが購入した商品を品目毎に分類し、前記分類した品目を購入数量に従って並べ替え、前記分類した品目毎の価格の合計額をを求め、前記商品の品目の分類結果、並べ替え結果又は品目毎の価格の合計額を含む補足情報を生成する請求項９記載の家計簿管理システム。
【請求項１１】
コンサルタント端末は、
家計簿にもとづくコンサルティングの結果を示すコンサルティング結果情報を生成する結果情報生成手段と、
前記結果情報生成手段が生成したコンサルティング結果情報を、通信ネットワークを介して家計簿管理サーバに送信する結果情報送信手段とを含み、
家計簿管理サーバは、前記コンサルタント端末から受信したコンサルティング結果情報を、ユーザに対応付けて蓄積する結果情報蓄積手段を含み、
情報配信手段は、ユーザ端末からの要求に応じて、前記結果情報蓄積手段が蓄積するコンサルティング結果情報を、通信ネットワークを介して前記ユーザ端末に送信する
請求項７から請求項１０のうちのいずれか１項に記載の家計簿管理システム。
【請求項１２】
家計簿管理サーバは、
商品の属性を示す商品情報を予め蓄積する商品情報蓄積手段と、
コンサルタント端末から受信したコンサルティング結果情報にもとづいて、前記商品情報蓄積手段から商品情報を抽出する商品情報抽出手段と、
前記商品情報抽出手段から抽出した商品情報にもとづいて、ユーザに配信する配信情報を生成する配信情報生成手段とを含み、
情報配信手段は、ユーザ端末からの要求に応じて、前記配信情報生成手段が生成した配信情報を、通信ネットワークを介して前記ユーザ端末に送信する
請求項１１記載の家計簿管理システム。
【請求項１３】
ユーザの商品購入の内容を示す購入情報にもとづいて家計簿を管理する家計簿管理サーバであって、
購入する商品を電子決済するための情報である電子決済情報にもとづいて電子決済が完了したことを条件として生成された前記購入情報を、ユーザ端末から通信ネットワークを介して受信する購入情報受信手段と、
前記ユーザ端末から受信した購入情報を、ユーザに対応付けて蓄積する購入情報蓄積手段と、
前記購入情報蓄積手段が蓄積する購入情報にもとづいて、家計簿を管理する家計簿管理手段とを備えた
ことを特徴とする家計簿管理サーバ。
【請求項１４】
ユーザの商品購入の内容を示す購入情報にもとづいて家計簿を管理する家計簿管理方法であって、
店舗端末が、購入する商品を電子決済するための情報である電子決済情報にもとづいて電子決済が完了したことを条件として、前記購入情報を生成するステップと、
前記店舗端末が、前記生成した購入情報をユーザ端末に送信するステップと、
前記ユーザ端末が、前記店舗端末から受信した購入情報を、通信ネットワークを介して、家計簿を管理する家計簿管理サーバに送信するステップと、
前記家計簿管理サーバが、前記ユーザ端末から受信した購入情報を、ユーザに対応付けて蓄積するステップと、
前記家計簿管理サーバが、前記蓄積した購入情報にもとづいて家計簿を管理するステップとを含む
ことを特徴とする家計簿管理方法。
【請求項１５】
家計簿管理サーバが、蓄積した購入情報にもとづいて、家計簿データをユーザ毎に生成するステップと、
前記家計簿管理サーバが、ユーザ端末からの要求に応じて、前記生成した家計簿データを、通信ネットワークを介して前記ユーザ端末に送信するステップとを含む
請求項１４記載の家計簿管理方法。
【請求項１６】
家計簿管理サーバが、購入情報の所定の蓄積期間が経過したか否かを判断するステップと、
前記家計簿管理サーバが、前記所定の蓄積期間が経過したと判断すると、コンサルティングを依頼するための依頼情報を、通信ネットワークを介して、コンサルタントが使用するコンサルタント端末に送信するステップと、
前記コンサルタント端末が、家計簿にもとづくコンサルティングの結果を示すコンサルティング結果情報を生成するステップと、
前記コンサルタント端末が、前記生成したコンサルティング結果情報を、通信ネットワークを介して前記家計簿管理サーバに送信するステップと、
前記家計簿管理サーバが、前記コンサルタント端末から受信したコンサルティング結果情報を、ユーザに対応付けて蓄積するステップと、
前記家計簿管理サーバが、ユーザ端末からの要求に応じて、前記蓄積したコンサルティング結果情報を、通信ネットワークを介して前記ユーザ端末に送信するステップとを含む
請求項１５記載の家計簿管理方法。
【請求項１７】
ユーザの商品購入の内容を示す購入情報にもとづいて家計簿を管理するための家計簿管理プログラムであって、
コンピュータに、
購入する商品を電子決済するための情報である電子決済情報にもとづいて電子決済が完了したことを条件として生成された前記購入情報を、ユーザ端末から通信ネットワークを介して受信する処理と、
前記受信した購入情報を、ユーザに対応付けて蓄積する処理と、
前記蓄積した購入情報にもとづいて、家計簿データをユーザ毎に生成する処理と、
ユーザ端末からの要求に応じて、前記生成した家計簿データを、通信ネットワークを介して前記ユーザ端末に送信する処理とを
実行させるための家計簿管理プログラム。
【請求項１８】
コンピュータに、
購入情報の所定の蓄積期間が経過したか否かを判断する処理と、
前記所定の蓄積期間が経過したと判断すると、コンサルティングを依頼するための依頼情報を、通信ネットワークを介して、コンサルタントが使用するコンサルタント端末に送信する処理と、
前記コンサルタント端末から、家計簿にもとづくコンサルティングの結果を示すコンサルティング結果情報を受信する処理と、
前記受信したコンサルティング結果情報を、ユーザに対応付けて蓄積する処理と、
ユーザ端末からの要求に応じて、前記蓄積したコンサルティング結果情報を、通信ネットワークを介して前記ユーザ端末に送信する処理とを実行させる
請求項１７記載の家計簿管理プログラム。
【発明の詳細な説明】
【技術分野】
【０００１】
本発明は、家計簿を管理する家計簿管理システム、家計簿管理サーバ、家計簿管理方法及び家計簿管理プログラムに関し、特に電子決済情報を利用して家計簿を管理する家計簿管理システム、家計簿管理サーバ、家計簿管理方法及び家計簿管理プログラムに関する。
【背景技術】
【０００２】
家計簿管理を行う場合、例えば、帳簿を用いて手書きで購入記録を記入し管理したり、電卓を用いて購入金額を計算したりすることが行われる。また、例えば、家計簿用ソフトウェアや表計算用ソフトウェアを搭載したパーソナルコンピュータ等の情報処理端末を用いて、手動による入力や操作が行われる。この場合、手動により購入記録を記述したり入力したりしなければならず、ユーザの手間がかかる。また、誤記や誤計算によって正確に家計簿管理を行えないことがある。
【０００３】
また、家計簿管理を行う場合、自己の商品購入の傾向を分析したり、その分析結果にもとづいて将来の購入計画を立案したりすることが行われる。しかし、商品購入の分析や購入計画の立案をユーザ個人が行うと、ユーザの自己管理能力によっては客観的な判断を行えるとは限らない。例えば、購入品目の偏りや買いすぎ等を客観的に判断することができず、家計簿管理を適切に行えないことがある。また、ユーザが家計簿管理を継続して行うとは限らない。
【０００４】
更に、家計簿管理を行う場合、専門のコンサルタントにアドバイスを依頼したい場合がある。しかし、コンサルタントに情報を提供したり面接したりするために手間と時間がかかり、コンサルタント料等のコストがかかる。そのため、家計簿管理について、専門のコンサルタントからのアドバイスを受けることは容易ではない。
【０００５】
家計簿管理におけるユーザの負担を軽減するために、携帯電話機を用いて、インターネット等のネットワークを介して、ユーザの家計簿データの各種計算や管理を自動化するサービスが提案されている。例えば、特許文献１には、携帯電話機を利用した家計簿データ管理システムが記載されている。
【０００６】
図４は、特許文献１に記載された家計簿データ管理システムの構成を示すブロック図である。図４に示すように、家計簿データ管理システムは、ユーザ端末１１０、家計簿サービスサーバ１３０、及びユーザ宅に設置されるユーザＰＣ１４０を含む。また、図４に示すように、ユーザ端末１１０、家計簿サービスサーバ１３０及びユーザＰＣ１４０は、インターネット２００を介して接続される。
【０００７】
特許文献１に記載された家計簿データ管理システムでは、ユーザ端末１１０は、カメラやスキャナ機能を備え、サービス加入者であるユーザの操作に従って、小売店で精算の際に印刷されるレシート１２０を撮影する。また、ユーザ端末１１０は、撮影したレシート１２０の画像を、電子メールを用いて家計簿サービスサーバ１３０に送信する。
【０００８】
家計簿サービスサーバ１３０は、レシート１２０を分析処理する「レシート分析・処理エンジン」を備え、ユーザ端末１１０から画像を受信すると、「レシート分析・処理エンジン」を用いて購入情報をテキスト化する。また、家計簿サービスサーバ１３０は、テキスト化した購入情報を家計簿データベースに保存する。
【０００９】
また、家計簿サービスサーバ１３０は、ユーザ端末１１０に購買情報（小売業者名や店名、商品名、金額等）や統計情報（地域別や日付時間帯別、年齢性別等の属性別、人気アイテム等による統計結果）を提供するために、「レシート分析・処理エンジン」を用いて計算処理を行い、家計簿データベースが記憶するデータを分析又は統計する。そして、家計簿サービスサーバ１３０は、ホームページや電子メールを用いて、ユーザ端末１１０に情報を公開する。ユーザは、携帯電話機等のユーザ端末１１０や、パーソナルコンピュータ等のユーザＰＣ１４０を用いて、その公開情報を参照する。
【００１０】
なお、特許文献１に記載された家計簿データ管理システムでは、レシート１２０を撮影した画像を送信する場合に限らず、ユーザ端末１１０が家計簿サービスサーバ１３０に用意されているホームページにアクセスし、ユーザの手入力によって情報を入力する方法も記載されている。
【００１１】
また、特許文献２には、携帯端末を用いて購入情報をサーバに送信し、サーバが購入情報をデータベースに蓄積し家計簿データを作成する家計簿作成システムが記載されている。
【００１２】
【特許文献１】特開２００３−１２２９１６号公報（段落０００６−００１１、図１）
【特許文献２】特開２００４−８６２９８号公報（段落００４２−００６９、図５−８）
【発明の開示】
【発明が解決しようとする課題】
【００１３】
特許文献１に記載された家計簿データ管理システムを用いれば、家計簿管理の際のユーザの手間をある程度軽減し、家計簿を自動生成することができる。しかし、ユーザは、商品購入の際にユーザ端末１１０を用いてレシート１２０の写真を撮影したり、撮影画像を電子メールで送信しなければならない。また、サーバが開設するＷｅｂサイトにアクセスして手動でデータを入力しなければならない。そのため、写真撮影やメール送信、データ入力のためにユーザの手間がかかる。また、レシート１２０の撮影画像を用いる場合、家計簿サービスサーバ１３０が画像解析を行ってテキスト化する処理を行わなければならず、家計簿サービスサーバ１３０の処理負担が大きい。
【００１４】
また、特許文献２に記載された家計簿作成システムを用いれば、家計簿管理の際のユーザの手間をある程度軽減し家計簿を自動生成することができる。しかし、ユーザは、商品購入の際に携帯端末からＩＤ情報入力の指示操作を行わなければならず、ユーザの手間がかかる。
【００１５】
更に、特許文献１及び特許文献２に記載されたシステムでは、サーバが家計簿を機械的に自動生成するので、人間的で細やかな配慮がなされたアドバイスをユーザに提供できるとは限らない。
【００１６】
そこで、本発明は、ユーザが簡易な操作で家計簿管理を行うことができる家計簿管理システム、家計簿管理サーバ、家計簿管理方法及び家計簿管理プログラムを提供することを目的とする。また、本発明は、人間的で細やかな配慮がなされたコンサルティング結果をユーザに提供できる家計簿管理システム、家計簿管理サーバ、家計簿管理方法及び家計簿管理プログラムを提供することを目的とする。
【課題を解決するための手段】
【００１７】
本発明による家計簿管理システムは、ユーザの商品購入の内容を示す購入情報にもとづいて家計簿を管理する家計簿管理システムであって、店舗端末（例えば、小売店端末２０によって実現される）と、家計簿を管理する家計簿管理サーバとを備え、店舗端末は、購入する商品を電子決済するための情報である電子決済情報にもとづいて電子決済が完了したことを条件として、購入情報を生成する購入情報生成手段（例えば、小売店端末２０のＣＰＵによって実現される）を含み、家計簿管理サーバは、店舗端末が生成した購入情報を、ユーザに対応付けて蓄積する購入情報蓄積手段（例えば、購入情報データベース３１によって実現される）と、購入情報蓄積手段が蓄積する購入情報にもとづいて家計簿を管理する家計簿管理手段（例えば、家計簿管理サーバ３０のＣＰＵによって実現される）とを含むことを特徴とする。なお、「家計簿を管理する」とは、例えば、購入情報にもとづいて家計簿データを生成したり、要求に応じて家計簿データを配信したりすることをいう。
【００１８】
また、家計簿管理システムは、ユーザ端末を備え、店舗端末は、購入情報生成手段が生成した購入情報をユーザ端末に送信する購入情報送信手段（例えば、小売店端末２０の電子決済デバイスによって実現される）を含み、ユーザ端末は、店舗端末から受信した購入情報を、通信ネットワークを介して家計簿管理サーバに送信する購入情報転送手段（例えば、ユーザ端末１０のＣＰＵ及びネットワークインタフェース部によって実現される）を含み、購入情報蓄積手段は、ユーザ端末から受信した購入情報を、ユーザに対応付けて蓄積するものであることが望ましい。
【００１９】
また、ユーザ端末は、電子決済情報を店舗端末に送信する決済情報送信手段（例えば、ユーザ端末１０の赤外線通信部によって実現される）を含み、購入情報生成手段は、ユーザ端末から受信した電子決済情報にもとづいて電子決済が完了したことを条件として、購入情報を生成するものであることが望ましい。
【００２０】
また、決済情報送信手段は、電子決済情報として、購入する商品を電子マネーを用いて支払う旨の情報又は所定の認証情報（例えば、認証用のＩＤ）を送信するものであってもよい。そのような構成によれば、電子マネーによる電子決済が完了したこと、又は認証情報を用いた電子決済が完了したことを条件として、容易に購入情報を生成することができる。
【００２１】
また、家計簿管理手段は、購入情報蓄積手段が蓄積する購入情報にもとづいて、家計簿データをユーザ毎に生成し、家計簿管理サーバは、ユーザ端末からの要求に応じて、家計簿管理手段が生成した家計簿データを、通信ネットワークを介してユーザ端末に送信する情報配信手段（例えば、家計簿管理サーバ３０のＣＰＵ及びネットワークインタフェース部によって実現される）を含むものであってもよい。そのような構成によれば、ユーザ端末からの要求に応じて、家計簿データをユーザに提供することができる。
【００２２】
また、購入情報生成手段は、ユーザが商品を購入した店舗名、購入した商品名、商品の品目、商品の価格又は購入した日時を含む購入情報を生成するものであってもよい。そのような構成によれば、商品を購入した店舗名、購入した商品名、商品の品目、商品の価格又は購入した日時を含む家計簿を自動作成し管理することができる。
【００２３】
また、家計簿管理システムは、コンサルタントが使用するコンサルタント端末を備え、家計簿管理サーバは、購入情報の所定の蓄積期間が経過したか否かを判断する蓄積期間判断手段（例えば、家計簿管理サーバ３０のＣＰＵによって実現される）と、蓄積期間判断手段が所定の蓄積期間が経過したと判断すると、コンサルティングを依頼するための依頼情報を、通信ネットワークを介してコンサルタント端末に送信する依頼情報送信手段（例えば、家計簿管理サーバ３０のＣＰＵ及びネットワークインタフェース部によって実現される）とを含むものであってもよい。そのような構成によれば、所定の蓄積期間が経過したことを条件として、自動的にコンサルティングを依頼することができ、ユーザに家計簿管理のコンサルティング結果を提供することができる。
【００２４】
また、家計簿管理サーバは、コンサルタント端末からの要求に応じて、購入情報蓄積手段が蓄積する購入情報を抽出する購入情報抽出手段（例えば、家計簿管理サーバ３０のＣＰＵによって実現される）と、購入情報抽出手段が抽出した購入情報を、通信ネットワークを介してコンサルタント端末に送信する情報送信手段（例えば、家計簿管理サーバ３０のＣＰＵ及びネットワークインタフェース部によって実現される）とを含むものであってもよい。そのような構成によれば、コンサルタントがユーザの購入情報を容易に閲覧することができ、家計簿管理のコンサルティング作業を支援することができる。
【００２５】
また、家計簿管理サーバは、コンサルタント端末からの要求に応じて、購入情報蓄積手段が蓄積する購入情報にもとづいて、家計簿のコンサルティングのための所定の補足情報を生成する補足情報生成手段（例えば、例えば、家計簿管理サーバ３０のＣＰＵによって実現される）を含み、情報送信手段は、補足情報生成手段が生成した補足情報を、通信ネットワークを介してコンサルタント端末に送信するものであってもよい。そのような構成によれば、コンサルタントが購入情報に加えて所定の補足情報を容易に閲覧することができ、家計簿管理のコンサルティング作業を支援することができる。
【００２６】
また、補足情報生成手段は、購入情報蓄積手段が蓄積する購入情報にもとづいて、ユーザが購入した商品を品目毎に分類し、分類した品目を購入数量に従って並べ替え、分類した品目毎の価格の合計額をを求め、商品の品目の分類結果、並べ替え結果又は品目毎の価格の合計額を含む補足情報を生成するものであってもよい。そのような構成によれば、購入商品の品目の分類結果、並べ替え結果又は品目毎の価格の合計額を、補足情報としてコンサルタントに提供することによって、家計簿管理のコンサルティング作業を支援することができる。
【００２７】
また、コンサルタント端末は、家計簿にもとづくコンサルティングの結果を示すコンサルティング結果情報を生成する結果情報生成手段（例えば、コンサルタント端末４０のＣＰＵによって実現される）と、結果情報生成手段が生成したコンサルティング結果情報を、通信ネットワークを介して家計簿管理サーバに送信する結果情報送信手段（例えば、コンサルタント端末４０のＣＰＵ及びネットワークインタフェース部によって実現される）とを含み、家計簿管理サーバは、コンサルタント端末から受信したコンサルティング結果情報を、ユーザに対応付けて蓄積する結果情報蓄積手段（例えば、コンサルティング結果データベース３３によって実現される）を含み、情報配信手段は、ユーザ端末からの要求に応じて、結果情報蓄積手段が蓄積するコンサルティング結果情報を、通信ネットワークを介してユーザ端末に送信するものであってもよい。そのような構成によれば、ユーザは、専門のコンサルタントによる客観的分析によるコンサルティング結果を得ることができる。従って、ソフトウェアを用いた購入情報の自動分析や自動診断によるコンサルティングと比較して、より人間的で細やかな配慮がなされたコンサルティング結果をユーザに提供することができる。
【００２８】
また、家計簿管理サーバは、商品の属性を示す商品情報を予め蓄積する商品情報蓄積手段（例えば、商品情報データベース３２によって実現される）と、コンサルタント端末から受信したコンサルティング結果情報にもとづいて、商品情報蓄積手段から商品情報を抽出する商品情報抽出手段（例えば、家計簿管理サーバ３０のＣＰＵによって実現される）と、商品情報抽出手段から抽出した商品情報にもとづいて、ユーザに配信する配信情報を生成する配信情報生成手段（例えば、家計簿管理サーバ３０のＣＰＵによって実現される）とを含み、情報配信手段は、ユーザ端末からの要求に応じて、配信情報生成手段が生成した配信情報を、通信ネットワークを介してユーザ端末に送信するものであってもよい。そのような構成によれば、コンサルティングの結果にもとづいて、商品に関する最新情報やお買い得情報を逐次ユーザに提供することができる。
【００２９】
本発明による家計簿管理サーバは、ユーザの商品購入の内容を示す購入情報にもとづいて家計簿を管理する家計簿管理サーバであって、購入する商品を電子決済するための情報である電子決済情報にもとづいて電子決済が完了したことを条件として生成された購入情報を、ユーザ端末から通信ネットワークを介して受信する購入情報受信手段（例えば、家計簿管理サーバ３０のＣＰＵ及びネットワークインタフェース部によって実現される）と、ユーザ端末から受信した購入情報を、ユーザに対応付けて蓄積する購入情報蓄積手段と、購入情報蓄積手段が蓄積する購入情報にもとづいて、家計簿を管理する家計簿管理手段とを備えたことを特徴とする。
【００３０】
本発明による家計簿管理方法は、ユーザの商品購入の内容を示す購入情報にもとづいて家計簿を管理する家計簿管理方法であって、店舗端末が、購入する商品を電子決済するための情報である電子決済情報にもとづいて電子決済が完了したことを条件として、購入情報を生成するステップと、店舗端末が、生成した購入情報をユーザ端末に送信するステップと、ユーザ端末が、店舗端末から受信した購入情報を、通信ネットワークを介して、家計簿を管理する家計簿管理サーバに送信するステップと、家計簿管理サーバが、ユーザ端末から受信した購入情報を、ユーザに対応付けて蓄積するステップと、家計簿管理サーバが、蓄積した購入情報にもとづいて家計簿を管理するステップとを含むことを特徴とする。
【００３１】
また、家計簿管理方法は、家計簿管理サーバが、蓄積した購入情報にもとづいて、家計簿データをユーザ毎に生成するステップと、家計簿管理サーバが、ユーザ端末からの要求に応じて、生成した家計簿データを、通信ネットワークを介してユーザ端末に送信するステップとを含むものであってもよい。そのような構成によれば、ユーザ端末からの要求に応じて、家計簿データをユーザに提供することができる。
【００３２】
また、家計簿管理方法は、家計簿管理サーバが、購入情報の所定の蓄積期間が経過したか否かを判断するステップと、家計簿管理サーバが、所定の蓄積期間が経過したと判断すると、コンサルティングを依頼するための依頼情報を、通信ネットワークを介して、コンサルタントが使用するコンサルタント端末に送信するステップと、コンサルタント端末が、家計簿にもとづくコンサルティングの結果を示すコンサルティング結果情報を生成するステップと、コンサルタント端末が、生成したコンサルティング結果情報を、通信ネットワークを介して家計簿管理サーバに送信するステップと、家計簿管理サーバが、コンサルタント端末から受信したコンサルティング結果情報を、ユーザに対応付けて蓄積するステップと、家計簿管理サーバが、ユーザ端末からの要求に応じて、蓄積したコンサルティング結果情報を、通信ネットワークを介してユーザ端末に送信するステップとを含むものであってもよい。そのような構成によれば、ユーザは、専門のコンサルタントによる客観的分析によるコンサルティング結果を得ることができる。従って、ソフトウェアを用いた購入情報の自動分析や自動診断によるコンサルティングと比較して、より人間的で細やかな配慮がなされたコンサルティング結果をユーザに提供することができる。
【００３３】
本発明による家計簿管理プログラムは、ユーザの商品購入の内容を示す購入情報にもとづいて家計簿を管理するための家計簿管理プログラムであって、コンピュータに、購入する商品を電子決済するための情報である電子決済情報にもとづいて電子決済が完了したことを条件として生成された購入情報を、ユーザ端末から通信ネットワークを介して受信する処理と、受信した購入情報を、ユーザに対応付けて蓄積する処理と、蓄積した購入情報にもとづいて、家計簿データをユーザ毎に生成する処理と、ユーザ端末からの要求に応じて、生成した家計簿データを、通信ネットワークを介してユーザ端末に送信する処理とを実行させることを特徴とする。
【００３４】
また、家計簿管理プログラムは、コンピュータに、購入情報の所定の蓄積期間が経過したか否かを判断する処理と、所定の蓄積期間が経過したと判断すると、コンサルティングを依頼するための依頼情報を、通信ネットワークを介して、コンサルタントが使用するコンサルタント端末に送信する処理と、コンサルタント端末から、家計簿にもとづくコンサルティングの結果を示すコンサルティング結果情報を受信する処理と、受信したコンサルティング結果情報を、ユーザに対応付けて蓄積する処理と、ユーザ端末からの要求に応じて、蓄積したコンサルティング結果情報を、通信ネットワークを介してユーザ端末に送信する処理とを実行させるものであってもよい。そのような構成によれば、ユーザは、専門のコンサルタントによる客観的分析によるコンサルティング結果を得ることができる。従って、ソフトウェアを用いた購入情報の自動分析や自動診断によるコンサルティングと比較して、より人間的で細やかな配慮がなされたコンサルティング結果をユーザに提供することができる。
【発明の効果】
【００３５】
本発明によれば、電子決済情報にもとづいて電子決済が完了したことを条件として、購入情報を自動生成する。そして、自動生成した購入情報を蓄積し、蓄積する購入情報にもとづいて各ユーザの家計簿を管理する。電子決済が完了したことを条件として購入情報が自動生成され家計簿が管理されるので、ユーザがレシートを撮影操作したり入力操作したりしなくても、ユーザの家計簿を管理することができる。従って、ユーザが簡易な操作で家計簿管理を行えるようにすることができる。
【発明を実施するための最良の形態】
【００３６】
以下、本発明の実施の形態を図面を参照して説明する。図１は、本発明による家計簿管理システムの構成の一例を示すブロック図である。図１に示すように、家計簿管理システムは、ユーザ端末１０、小売店端末２０、家計簿管理サーバ３０、コンサルタント端末４０及びユーザＰＣ５０を含む。また、ユーザ端末１０、小売店端末２０、家計簿管理サーバ３０、コンサルタント端末４０及びユーザＰＣ５０は、それぞれプログラムに従って動作し、インターネット１００等の通信ネットワークを介して接続される。
【００３７】
本実施の形態では、家計簿を管理するサービス会社又は事業者（以下、家計簿管理サービス事業者という）は、家計簿を自動作成して各ユーザに提示し管理する家計簿管理サービスを提供する。また、本実施の形態では、家計簿管理サービス事業者は、予めコンサルティング会社又は事業者（以下、単にコンサルティング会社という）と提携しており、家計簿管理についてのコンサルティングの結果（家計簿診断の結果）を各ユーザに提供する。また、本実施の形態では、家計簿管理サービス事業者は、コンサルティングの結果にもとづいて、各種商品購入に関する最新情報やお買い得情報を、家計簿の分析結果の補足情報の位置づけで逐次各ユーザに提供する。
【００３８】
ユーザ端末１０は、ユーザが使用する端末であり、具体的には、携帯電話機等の携帯端末である。ユーザ端末１０は、メーラやブラウザを搭載し、インターネット１００への接続機能を備える。また、ユーザ端末１０は、赤外線通信部を備え、赤外線による無線信号を送受信する機能を備える。本実施の形態では、ユーザ端末１０は、商品の購入時に、ユーザの商品購入の内容を示す購入情報を、小売店端末２０から赤外線による無線信号として受信する。また、ユーザ端末１０は、受信した購入情報を、インターネット１００を介して家計簿管理サーバ３０に送信する。
【００３９】
また、ユーザ端末１０は、購入商品の電子決済を行う機能を備え、購入商品を電子決済するための電子決済情報を送信する機能を備える。例えば、ユーザ端末１０は、電子マネーを用いた電子決済を行うためのアプリケーションソフトウェアを搭載し、電子マネーを用いて購入商品を電子決済する。この場合、ユーザ端末１０は、例えば、商品の購入金額を電子マネーで支払う旨の電子決済情報を、赤外線による無線信号を用いて小売店端末２０に送信する。
【００４０】
また、例えば、ユーザ端末１０は、金融機関やクレジットカード会社に対する認証情報を予め記憶する。この場合、ユーザ端末１０は、認証情報を含む電子決済情報を、赤外線による無線信号を用いて小売店端末２０に送信する。そして、小売店端末２０は、受信した認証情報を金融機関やクレジットカード会社が運営するサーバ（図示せず）に送信し、購入商品の電子決済を行う。
【００４１】
なお、図１では、１つのユーザ端末１０を示しているが、家計簿管理システムは、複数のユーザ端末１０を含む。
【００４２】
小売店端末２０は、具体的には、購入商品の金額を計算するレジスタ（金銭計算器）である。小売店端末２０は、例えば、商品を販売するコンビニエンスストアやスーパマーケット等の店舗（小売店）に設置される。小売店端末２０は、商品に付された所定のコード情報を読み取るスキャナ機能を備える。本実施の形態では、小売店端末２０は、商品の商品コードや価格を含むコード情報を読み取る。例えば、小売店端末２０は、Point of Sales（ＰＯＳ）を用いて商品に付されたバーコードを読み取ることによって、商品に付されたコード情報を読み取る。
【００４３】
また、小売店端末２０は、読み取ったコード情報に含まれる商品の価格を集計する機能を備える。また、小売店端末２０は、集計した商品の価格を印字してレシートを出力する機能を備える。
【００４４】
また、小売店端末２０は、ユーザ端末１０から電子決済情報を読み取る電子決済デバイスを備える。また、電子決済デバイスは、赤外線による無線信号を送受信する機能を備える。本実施の形態では、ユーザがユーザ端末１０を小売店端末２０の電子決済デバイスにかざしたり押し当てたりすると、小売店端末２０は、各種電子決済情報を、赤外線による無線信号としてユーザ端末１０から受信する。
【００４５】
また、小売店端末２０は、購入商品の電子決済が完了すると、購入情報を生成する機能を備える。本実施の形態では、小売店端末２０は、店舗の店舗コード（店舗名）や、購入商品の商品品目（分類）、商品名、価格、購入日時等を含む購入情報を生成する。また、小売店端末２０は、生成した購入情報をユーザ端末１０に送信する機能を備える。本実施の形態では、小売店端末２０は、生成した購入情報を、赤外線による無線信号としてユーザ端末１０に送信する。
【００４６】
なお、図１では、１つの小売店端末２０を示しているが、家計簿管理システムは、複数の小売店端末２０を含む。
【００４７】
家計簿管理サーバ３０は、家計簿管理サービス事業者が運営するサーバであり、例えば、大規模コンピュータ等の情報処理装置である。また、家計簿管理サーバ３０は、例えば、ワークステーションやパーソナルコンピュータ等の情報処理装置である。図１に示すように、家計簿管理サーバ３０は、購入情報データベース３１、商品情報データベース３２及びコンサルティング結果データベース３３を含む。
【００４８】
家計簿管理サーバ３０は、ユーザ端末１０から、インターネット１００を介して購入情報を受信する機能を備える。また、家計簿管理サーバ３０は、ユーザ端末１０から受信した購入情報を、ユーザに対応付けて購入情報データベース３１に蓄積する機能を備える。本実施の形態では、購入情報データベース３１は、店舗の店舗コードや、購入商品の商品品目（分類）、商品名、価格、購入日時等を含む購入情報を、ユーザに対応付けて蓄積する。
【００４９】
また、家計簿管理サーバ３０は、購入情報データベース３１に蓄積する購入情報にもとづいて、ユーザ毎に家計簿データを生成する機能を備える。例えば、家計簿管理サーバ３０は、購入情報を所定期間分（例えば、一週間分）蓄積すると、蓄積した所定期間分の購入情報を集計して家計簿データを生成する。
【００５０】
また、家計簿管理サーバ３０は、所定期間が経過すると、家計簿のコンサルティングを依頼する旨の依頼情報を、インターネット１００を介してコンサルタント端末４０に送信する機能を備える。本実施の形態では、家計簿管理サーバ３０は、所定期間が経過すると、所定期間が経過した旨の情報を、インターネット１００を介してコンサルタント端末４０に送信する。例えば、家計簿管理サーバ３０は、所定期間が経過した旨の情報を電子メールを用いてコンサルタント端末４０に送信する。
【００５１】
また、家計簿管理サーバ３０は、コンサルティングの結果を含む結果情報（以下、コンサルティング結果情報ともいう）を、インターネット１００を介してコンサルタント端末４０から受信する機能を備える。例えば、家計簿管理サーバ３０は、コンサルティング結果情報を、電子メールを用いてコンサルタント端末４０から受信する。また、家計簿管理サーバ３０は、コンサルタント端末４０から受信したコンサルティング結果情報を、ユーザに対応付けてコンサルティング結果データベース３３に蓄積する機能を備える。
【００５２】
また、家計簿管理サーバ３０は、各種商品の属性を示す商品情報を予め商品情報データベース３２に蓄積する。本実施の形態では、家計簿管理サーバ３０は、各種商品購入に関する最新情報やお買い得情報を含む商品情報を、商品情報データベース３２に予め蓄積する。また、例えば、家計簿管理サーバ３０は、各小売店端末２０からインターネット１００を介して逐次商品情報を受信し、受信した商品情報にもとづいて商品情報データベース３２が記憶する情報を逐次更新する。家計簿管理サーバ３０は、コンサルタント端末４０からコンサルティング結果情報を受信すると、受信したコンサルティング結果情報もとづいて、商品情報データベース３２から商品情報を抽出する機能を備える。また、家計簿管理サーバ３０は、抽出した商品情報を含む配信情報をユーザ毎に生成する機能を備える。
【００５３】
また、家計簿管理サーバ３０は、ユーザの購入情報や家計簿を公開するためのＷｅｂサイトを開設しており、購入情報や家計簿を表示するためのＷｅｂページの情報を、インターネット１００を介して、ユーザ端末１０、ユーザＰＣ５０又はコンサルタント端末４０に送信する機能を備える。また、家計簿管理サーバ３０は、コンサルティングの結果を表示するためのＷｅｂページの情報を、インターネット１００を介して、ユーザ端末１０又はユーザＰＣ５０に送信する機能を備える。また、家計簿管理サーバ３０は、生成した配信情報を表示するためのＷｅｂページの情報を、インターネット１００を介して、ユーザ端末１０又はユーザＰＣ５０に送信する機能を備える。
【００５４】
コンサルタント端末４０は、コンサルタントが使用する端末である。コンサルタント端末４０は、コンサルティング会社によって運営され、具体的には、パーソナルコンピュータ等の情報処理端末である。なお、例えば、家計簿管理サービス事業者がコンサルタントの使用者である場合、コンサルタント端末４０は、家計簿管理サービス事業者が運営する端末であってもよい。
【００５５】
また、図１では、１つのコンサルタント端末４０を示しているが、家計簿管理システムは、複数のコンサルタント端末４０を含んでいてもよい。例えば、コンサルタントが複数人いる場合、家計簿管理システムは、コンサルタント毎にコンサルタント端末４０を含んでいてもよい。
【００５６】
コンサルタント端末４０は、メーラやブラウザを搭載し、インターネット１００への接続機能を備える。本実施の形態では、コンサルタント端末４０は、コンサルタントの指示操作に従ってユーザの購入情報や家計簿を要求し、購入情報や家計簿を表示するためのＷｅｂページの情報をインターネット１００を介して家計簿管理サーバ３０から受信する機能を備える。また、コンサルタント端末４０は、受信したＷｅｂページの情報にもとづいて、購入情報や家計簿をディスプレイ装置等の表示装置に表示する機能を備える。また、コンサルタント端末４０は、コンサルタントの指示操作に従って、コンサルティング結果情報を作成し、インターネット１００を介して家計簿管理サーバ３０に送信する機能を備える。
【００５７】
本実施の形態では、コンサルタントは、コンサルタント端末４０を操作してユーザの購入情報や家計簿を閲覧し、所定期間毎の購入商品の傾向や使用金額等を分析する。また、コンサルタントは、分析対象のユーザに対する商品購入に関する現状分析の結果及びアドバイスを作成し、適切な商品購入計画を立案する。
【００５８】
ユーザＰＣ５０は、ユーザが使用する端末であり、具体的には、パーソナルコンピュータ等の情報処理端末である。ユーザＰＣ５０は、例えば、ユーザの自宅等に設置される。なお、図１では、１つのユーザＰＣ５０を示しているが、家計簿管理システムは、複数のユーザＰＣ５０を含む。
【００５９】
ユーザＰＣ５０は、メーラやブラウザを搭載し、インターネット１００への接続機能を備える。ユーザＰＣ５０は、ユーザの指示操作に従って、各種Ｗｅｂページの情報をインターネット１００を介して家計簿管理サーバ３０から受信する機能を備える。また、ユーザＰＣ５０は、受信したＷｅｂページの情報にもとづいて、各種情報をディスプレイ装置等の表示装置に表示する機能を備える。本実施の形態では、ユーザＰＣ５０は、家計簿やコンサルティングの結果、配信情報を表示するためのＷｅｂページの情報を家計簿管理サーバ３０から受信し、家計簿やコンサルティングの結果、配信情報を表示する
【００６０】
なお、本実施の形態において、家計簿管理サーバ３０の記憶装置（図示せず）は、家計簿を管理するための各種プログラムを記憶している。例えば、家計簿管理サーバ３０の記憶装置は、コンピュータに、購入する商品を電子決済するための情報である電子決済情報にもとづいて電子決済が完了したことを条件として生成された購入情報を、ユーザ端末から通信ネットワークを介して受信する処理と、受信した購入情報を、ユーザに対応付けて蓄積する処理と、蓄積した購入情報にもとづいて、家計簿データをユーザ毎に生成する処理と、ユーザ端末からの要求に応じて、生成した家計簿データを、通信ネットワークを介してユーザ端末に送信する処理とを実行させるための家計簿管理プログラムを記憶している。
【００６１】
次に、動作について説明する。本実施の形態では、家計簿管理サービス事業者は、予めコンサルティング会社と提携している。そして、コンサルティング会社は、依頼に応じて家計簿にもとづいてコンサルティングを行う１人又は複数のコンサルタントを、家計簿管理サービス事業者に登録している。この場合、例えば、コンサルタント端末４０は、コンサルタントの指示操作に従って、予めコンサルタントの氏名や電子メールアドレス等を含む登録情報を、インターネット１００を介して家計簿管理サーバ３０に送信する。そして、家計簿管理サーバ３０は、受信した各コンサルタントの登録情報を、予めデータベース（図示せず）に記憶している。
【００６２】
また、ユーザは、家計簿管理サービスの提供を受けるために、予め家計簿管理サービス事業者と契約を締結している。この場合、例えば、ユーザ端末１０又はユーザＰＣ５０は、ユーザの指示操作に従って、予めユーザ名や住所、電子メールアドレス等を含む登録情報を、インターネット１００を介して家計簿管理サーバ３０に送信する。そして、家計簿管理サーバ３０は、受信した各ユーザの登録情報を予めデータベースに記憶している。また、コンサルタント端末４０は、ユーザ登録すると、ユーザを識別するためのユーザＩＤを登録ユーザ毎に予め発行している。
【００６３】
次に、ユーザが商品を購入する際に、購入商品の購入情報を家計簿管理サーバ３０に登録する動作を説明する。図２は、購入商品の購入情報を家計簿管理サーバ３０に登録する処理の一例を示す流れ図である。
【００６４】
ユーザは、予めユーザ端末１０を電子決済可能な状態させ、コンビニエンスストアやスーパマーケット等の店舗で買い物を行う。本実施の形態では、ユーザ端末１０は、ユーザの指示操作に従って、予め電子決済可能な状態にする（ステップＳ１１）。例えば、ユーザ端末１０は、ユーザの指示操作に従って、買い物に必要な金額の電子マネーを取り込むことによって、電子決済可能な状態にする。また、例えば、ユーザ端末１０は、ユーザの指示操作に従って、認証用ＩＤ等の認証情報を登録することによって、電子決済可能な状態にする。
【００６５】
ユーザは、商品を購入する場合、購入商品を店舗の所定の支払い場所に持ち込む。店員は、小売店端末２０が備えるスキャナを用いて、持ち込まれた商品のバーコードの読み込操作を行う。小売店端末２０は、店員の指示操作に従って、購入商品にバーコードとして付された所定のコード情報を読み取る（ステップＳ１２）。本実施の形態では、小売店端末２０は、商品の商品コードや価格を含むコード情報を読み取る。また、購入商品が複数ある場合、小売店端末２０は、店員の指示操作に従って、全ての購入商品のコード情報を読み取り、各コード情報に含まれる商品の代金を集計する。
【００６６】
また、ユーザは、電子決済によって代金を支払うために、ユーザ端末１０を小売店端末２０の電子決済用デバイスにかざしたり押し当てたりする。すると、小売店端末２０は、集計した代金の情報を、赤外線による無線信号としてユーザ端末１０に送信する。
【００６７】
ユーザ端末１０は、受信した代金の情報にもとづいて、電子決済によって購入商品の代金を精算する（ステップＳ１３）。例えば、ユーザ端末１０は、電子マネーを用いて購入商品の代金を電子決済する。この場合、ユーザ端末１０は、購入商品の代金分の電子マネーを支払う旨の電子決済情報を、赤外線による無線信号として小売店端末２０に送信する。また、例えば、ユーザ端末１０は、所定の認証情報を含む電子決済情報を、赤外線による無線信号として小売店端末２０に送信する。この場合、小売店端末２０は、受信した認証情報を、インターネット１００を介して金融機関やクレジットカード会社、店舗の本部が運営するサーバに送信し、購入商品の決済を依頼する。
【００６８】
購入商品の決済が完了すると、小売店端末２０は、ユーザが購入した商品の購入情報を生成する。本実施の形態では、小売店端末２０は、店舗の店舗コードや、店舗で販売する各商品の商品品目（分類）、商品名、価格等の情報を、予めデータベース（図示せず）に記憶している。そして、小売店端末２０は、店舗コードや、購入商品の商品品目、商品名、価格、購入日時等を含む購入情報を生成する。購入情報を生成すると、小売店端末２０は、生成した購入情報を、赤外線による無線信号としてユーザ端末１０に送信する（ステップＳ１４）。
【００６９】
購入情報を受信すると、ユーザ端末１０は、受信した購入情報を所定のフォーマットに変換し、インターネット１００を介して家計簿管理サーバ３０に送信する（ステップＳ１５）。例えば、ユーザ端末１０は、予め家計簿管理サービスを利用するための専用のアプリケーションソフトウェアを搭載している。そして、ユーザ端末１０は、アプリケーションソフトウェアを用いて購入情報を所定のフォーマットに変換し、電子メールを用いて家計簿管理サーバ３０に自動送信する。
【００７０】
家計簿管理サーバ３０は、ユーザ端末１０から購入情報を受信すると、受信した購入情報を購入情報データベース３１に記憶する（ステップＳ１６）。この場合、家計簿管理サーバ３０は、購入情報をユーザに対応づけて購入情報データベース３１に記憶する。例えば、ステップＳ１５において、ユーザ端末１０は、購入情報とともに、予め発行されたユーザＩＤをインターネット１００を介して家計簿管理サーバ３０に送信する。そして、家計簿管理サーバ３０は、受信した購入情報をユーザＩＤに対応づけて購入情報データベース３１に記憶する。
【００７１】
以上のように、ステップＳ１１からステップＳ１６までの処理が実行されることによって、家計簿管理サーバ３０は、各ユーザ端末１０から購入情報を受信し、購入情報データベース３１に蓄積する。
【００７２】
次に、蓄積する購入情報にもとづいて家計簿データを作成し、コンサルティング結果情報を作成する動作を説明する。図３は、蓄積する購入情報にもとづいて家計簿データを作成し、コンサルティング結果情報を作成する処理の一例を示す流れ図である。
【００７３】
本実施の形態では、家計簿管理サーバ３０は、予め定めた蓄積期間毎に購入情報を集計し、家計簿データをユーザ毎に作成する。例えば、家計簿管理サーバ３０は、一週間毎に購入情報を集計し家計簿データを作成する。
【００７４】
家計簿管理サーバ３０は、前回家計簿データを作成してから所定の蓄積期間（例えば、一週間）が経過したか否かを判断する（ステップＳ２１）。所定の蓄積期間が経過したと判断すると、家計簿管理サーバ３０は、購入情報データベース３１から、所定期間分の購入情報をユーザ毎に全て抽出する。そして、家計簿管理サーバ３０は、抽出した購入情報を集計し、所定期間分の家計簿データを作成する。例えば、家計簿管理サーバ３０は、各購入情報に示される価格にもとづいて購入商品の合計金額を算出し、購入日時毎の購入商品及び価格と、所定期間分（例えば、一週間分）の購入商品の合計金額とを含む家計簿データを、ユーザ毎に作成する。
【００７５】
また、所定の蓄積期間が経過したと判断すると、家計簿管理サーバ３０は、所定の蓄積期間が満了した旨の情報を、インターネット１００を介してコンサルタント端末４０に送信する（ステップＳ２２）。例えば、家計簿管理サーバ３０は、所定の蓄積期間が満了した旨の情報を、電子メールを用いてコンサルタント端末４０に自動送信し、家計簿管理のコンサルティングを依頼する。
【００７６】
本実施の形態では、家計簿管理サービス事業者は、ユーザ毎に担当のコンサルタントを予め割り当てている。そして、家計簿管理サーバ３０は、ユーザの登録情報と、ユーザに割り当てられたコンサルタントの登録情報とを対応づけて、予めデータベースに記憶している。この場合、例えば、家計簿管理サーバ３０は、データベースからユーザに対応するコンサルタントの電子メールアドレスを抽出し、抽出した電子メールアドレスを用いて、担当のコンサルタントに電子メールを送信する。
【００７７】
コンサルタントは、電子メールを確認することによって自分が担当するユーザのコンサルティング依頼を認識する。そして、コンサルタントは、コンサルタント端末４０を操作して、家計簿管理サーバ３０が蓄積するユーザの購入情報をや家計簿データを確認する。
【００７８】
コンサルタント端末４０は、コンサルタントの指示操作に従って、ブラウザを用いて、ユーザの購入情報や家計簿を表示するためのＷｅｂページの情報の送信要求を、インターネット１００を介して家計簿管理サーバ３０に送信する。すると、家計簿管理サーバ３０は、コンサルタント端末４０からの要求に応じて、ユーザの購入情報や家計簿を表示するためのＷｅｂページの情報を、インターネット１００を介してコンサルタント端末４０に送信する。そして、コンサルタント端末４０は、受信したＷｅｂページの情報にもとづいて、ユーザの購入情報や家計簿を表示装置に表示する（ステップＳ２３）。
【００７９】
コンサルタントは、コンサルタント端末４０が表示する購入情報や家計簿を、自己の経験やノウハウを用いて分析する。また、分析結果にもとづいて、コンサルタントは、コンサルタント端末４０を操作して、ユーザの購入品目の偏りや無駄遣い、今後の購入活動に対するアドバイス等を記載したコンサルティング結果情報を作成する。コンサルタント端末４０は、コンサルタントの指示操作に従って、コンサルティング結果情報を作成する（ステップＳ２４）。また、コンサルタント端末４０は、コンサルタントの指示操作に従って、作成したコンサルティング結果情報を、インターネット１００を介して家計簿管理サーバ３０に送信しアップロードする（ステップＳ２５）。また、家計簿管理サーバ３０は、受信したコンサルティング結果の情報を、ユーザに対応付けてコンサルティング結果データベース３３に蓄積する。
【００８０】
また、ステップＳ２３において、購入情報や家計簿に加えて、コンサルタントがコンサルティングのための所定の補足情報を閲覧できるようにしてもよい。この場合、コンサルタント端末４０は、ユーザの指示操作に従って、所定の補足情報の送信要求を、インターネット１００を介して家計簿管理サーバ３０に送信する。例えば、ステップＳ２３において、コンサルタント端末４０は、購入情報や家計簿に加えて所定の検索条件の入力欄を含むＷｅｂページを表示する。そして、コンサルタントがＷｅｂページから所定の検索条件を入力指示すると、コンサルタント端末４０は、所定の補足情報の送信要求を家計簿管理サーバ３０に送信する。
【００８１】
補足情報の送信要求を受信すると、家計簿管理サーバ３０は、購入情報データベース３１が蓄積する購入情報にもとづいて、所定の補足情報を生成する。例えば、家計簿管理サーバ３０は、購入情報にもとづいて、ユーザの購入品目をグルーピング（分類）したり、グルーピングした購入品目を購入数量順にソート（並べ替え）したり、グルーピングした購入品目毎に合計の支出額を算出したりする。また、家計簿管理サーバ３０は、購入品目のグルーピング結果やソート結果、合計の支出額を含む補足情報を生成する。そして、家計簿管理サーバ３０は、生成した補足情報を、インターネット１００を介してコンサルタント端末４０に送信する。また、コンサルタントは、ユーザの購入情報及び家計簿に加えて補足情報を考慮して、ユーザの家計簿管理のコンサルティングを行う。
【００８２】
また、ステップＳ２５において、コンサルティング結果情報を受信し蓄積すると、家計簿管理サーバ３０は、受信したコンサルティング結果情報にもとづいて、商品情報データベース３２から商品情報を抽出する。例えば、家計簿管理サーバ３０は、コンサルティング結果にもとづいて、コンサルタントが今後購入をアドバイスする商品の最新情報やお買い得情報を含む商品情報を、商品情報データベース３２から抽出する。そして、家計簿管理サーバ３０は、抽出した商品情報を含む配信情報を、コンサルタントによる分析結果の補足情報の位置づけで生成する。
【００８３】
コンサルティング結果情報を受信し蓄積すると、家計簿管理サーバ３０は、コンサルティング結果のアップロードが完了した旨の情報を、インターネット１００を介してユーザＰＣ５０に送信する（ステップＳ２６）。例えば、家計簿管理サーバ３０は、アップロードが完了した旨の情報を、電子メールを用いてユーザＰＣ５０に自動送信する。この場合、例えば、家計簿管理サーバ３０は、予めデータベースに登録するユーザの登録情報にもとづいてユーザの電子メールアドレスを特定し、特定した電子メールアドレスにもとづいて電子メールをユーザＰＣ５０に送信する。なお、家計簿管理サーバ３０は、アップロードが完了した旨の情報をユーザ端末１０に送信してもよい。
【００８４】
ユーザは、電子メールを確認することによってコンサルティングが終了したことを認識すると、ユーザＰＣ５０を操作して、家計簿管理サーバ３０が蓄積する家計簿やコンサルティング結果、配信情報を閲覧する。ユーザＰＣ５０は、ユーザの指示操作に従って、家計簿やコンサルティング結果、配信情報の送信要求を、インターネット１００を介して家計簿管理サーバ３０に送信する。すると、家計簿管理サーバ３０は、ユーザＰＣ５０からの要求に応じて、ユーザの家計簿やコンサルティング結果、配信情報を表示するためのＷｅｂページの情報を、インターネット１００を介してユーザＰＣ５０に送信する。そして、ユーザＰＣ５０は、受信したＷｅｂページの情報にもとづいて、ユーザの家計簿やコンサルティング結果、配信情報を表示する（ステップＳ２７）。
【００８５】
例えば、家計簿管理サーバ３０は、コンサルティング結果のアップロードが完了した旨とともに、家計簿やコンサルティング結果、配信情報が掲載されているＷｅｂページのＵＲＬを含む電子メールをユーザＰＣ５０に送信する。ユーザＰＣ５０は、電子メールに示されるＵＲＬにもとづいて、家計簿管理サーバ３０にアクセスし家計簿やコンサルティング結果、配信情報を要求する。この場合、例えば、ユーザＰＣ５０は、送信要求とともにユーザＩＤを家計簿管理サーバ３０に送信する。家計簿管理サーバ３０は、受信したユーザＩＤにもとづいて、対応する家計簿やコンサルティング結果、配信情報を表示するためのＷｅｂページの情報を抽出し、ユーザＰＣ５０に送信する。そして、ユーザＰＣ５０は、受信した情報にもとづいて、ユーザの家計簿やコンサルティング結果、配信情報を表示する。
【００８６】
なお、ユーザＰＣ５０に限らず、ユーザ端末１０を用いて、ユーザが家計簿やコンサルティング結果、配信情報を閲覧できるようにしてもよい。この場合、ユーザ端末１０は、ユーザの指示操作に従って、家計簿やコンサルティング結果、配信情報の送信要求を、インターネット１００を介して家計簿管理サーバ３０に送信する。そして、ユーザ端末１０は、家計簿管理サーバ３０から受信したＷｅｂページの情報にもとづいて、ユーザの家計簿やコンサルティング結果、配信情報を表示する。
【００８７】
ユーザは、ユーザＰＣ５０が表示する家計簿やコンサルティング結果、配信情報を確認し、自己の購入活動に対する客観的な分析結果を認識する。また、ユーザは、ユーザＰＣ５０が表示する家計簿やコンサルティング結果、配信情報を参考にして、今後の購入活動の指標とする。
【００８８】
以上のように、本実施の形態によれば、小売店端末２０は、電子決済情報にもとづいて電子決済が完了したことを条件として、購入情報を生成しユーザ端末１０に自動送信する。また、ユーザ端末１０は、小売店端末２０から受信した購入情報を、インターネット１００を介して家計簿管理サーバ３０に自動送信する。家計簿管理サーバ３０は、各ユーザ端末１０から受信した購入情報を購入情報データベース３１に蓄積し、蓄積する購入情報にもとづいて各ユーザの家計簿を管理する。本実施の形態によれば、電子決済が完了したことを条件として購入情報が自動生成され自動送信されるので、ユーザがレシートを撮影操作したり入力操作したりしなくても、自動的に購入情報が家計簿管理サーバ３０に蓄積され管理される。従って、ユーザが簡易な操作で家計簿管理を行えるようにすることができる。
【００８９】
また、本実施の形態によれば、所定の蓄積期間が経過すると、自動的にコンサルタント端末４０にコンサルティングの依頼情報が送信され、ユーザは、自己の購入活動の傾向分析や、購入活動に対する改善又は見直しのためのコンサルティング結果を得ることができる。また、本実施の形態によれば、ユーザは、専門のコンサルタントによる客観的分析によるコンサルティング結果を得ることができる。そのため、ソフトウェアを用いた購入情報の自動分析や自動診断によるコンサルティングと比較して、より人間的で細やかな配慮がなされたコンサルティング結果をユーザに提供することができる。例えば、家事や育児に追われ家計簿管理に手が回らない主婦が、より人間的で細やかな配慮がなされたコンサルティング結果を得ることができる。また、例えば、一人暮らしをしていたり、仕事が多忙で生活リズムが不規則であったり、食生活が偏りぎみな独身者が、より人間的で細やかな配慮がなされたコンサルティング結果を得ることができる。
【００９０】
また、本実施の形態によれば、コンサルタントは、購入情報や家計簿に加えて、コンサルティングするための各種補足情報を参照して、ユーザの家計簿管理をコンサルティングすることができる。従って、コンサルタントのコンサルティング作業を支援することができ、コンサルタントが人間的で細やかな配慮がなされたコンサルティング結果をより容易に作成できるようにすることができる。
【００９１】
なお、本実施の形態では、小売店端末２０が購入情報を赤外線による無線信号としてユーザ端末１０に送信する場合を説明したが、小売店端末２０の購入情報の出力方法は、本実施の形態で示した方法に限られない。例えば、小売店端末２０は、購入情報をＱＲコード等の二次元コードとして含むレシートを出力してもよい。この場合、ユーザ端末１０は、ユーザの指示操作に従って、レシートに印刷されたＱＲコードをカメラを用いて撮影する。そして、ユーザ端末１０は、撮影したＱＲコードを解析し、解析結果の情報をインターネット１００を介して家計簿管理サーバ３０に送信する。
【産業上の利用可能性】
【００９２】
本発明は、家計簿を自動生成して管理する家計簿管理システムの用途に用いることができる。特に、本発明を用いることによって、ユーザが簡易な操作を行うだけで、ユーザの購入情報を蓄積し家計簿を管理することができる。また、本発明は、家計簿にもとづいたコンサルティングをユーザに提供する用途に用いることができる。
【図面の簡単な説明】
【００９３】
【図１】本発明による家計簿管理システムの構成の一例を示すブロック図である。
【図２】購入商品の購入情報を家計簿管理サーバ３０に登録する処理の一例を示す流れ図である。
【図３】蓄積する購入情報にもとづいて家計簿データを作成し、コンサルティング結果情報を作成する処理の一例を示す流れ図である。
【図４】従来の家計簿データ管理システムの構成を示すブロック図である。
【符号の説明】
【００９４】
１０  ユーザ端末
２０  小売店端末
３０  家計簿管理サーバ
３１  購入情報データベース
３２  商品情報データベース
４０  コンサルタント端末
５０  ユーザＰＣ
１００  インターネット
【図１】
2006209252.tif 000003
【図２】
2006209252.tif 000004
【図３】
2006209252.tif 000005
【図４】
2006209252.tif 000006